(57)【特許請求の範囲】
【請求項１】
下面に拭き取り面を有する拭取りシートと、前記拭取りシートの上面側に保持隙間を形成する保持材とが設けられた清掃用物品および該清掃用物品の保持具において、
前記保持具の先部側には前記保持隙間に挿入される装着部が設けられるとともに、基部側には握り部が設けられ、
前記清掃用物品には、前記拭取りシートを前記保持隙間の挿入口に対して前記装着部の前記保持隙間への挿入方向の手前側に突出させた突出部分が形成され、
前記装着部の基部側には当該装着部の下面よりも上方に位置する段差面が形成され、
前記段差面には、前記装着部を前記保持隙間に挿入して前記清掃用物品を清掃面に押し当てた状態で前記段差面と前記清掃面との間に介在することとなる前記突出部分に入り込んで掛止される複数の突起を含む掛止手段が、設けられ、
前記段差面の前記装着部の下面に対する高さを、圧力が加えられていない状態での前記突出部分の嵩未満に設定したことを特徴とする清掃用物品および該清掃用物品の保持具。
【請求項２】
前記突起の前記挿入方向の先方側に向く前端面が、前記段差面に対して鈍角となる傾斜面であり、前記突起の前記挿入方向の手前側に向く後端面が、前記段差面に対して直角または鋭角の面である請求項１に記載の清掃用物品および該清掃用物品の保持具。
【請求項３】
前記装着部には、前記保持隙間に挿入される挿入部が複数に分岐されて形成されており、前記段差面が前記挿入部の分岐部に対して前記基部側に配置されている請求項１または２に記載の清掃用物品および該清掃用物品の保持具。
【請求項４】
前記装着部の基部には、前記段差面から離れて上方に延びる腕部が設けられ、前記腕部の上部に前記握り部が設けられている請求項１〜３のうちいずれか一つに記載の清掃用物品および該清掃用物品の保持具。
【発明の詳細な説明】
【０００１】
【発明の属する技術分野】
本発明は、使い捨てまたは交換使用可能なシートで形成された清掃用物品を保持するための保持具に係り、特に清掃用物品を確実に保持できる保持具に関する。
【０００２】
【従来の技術】
図９は、清掃用物品６０およびこの清掃用物品を保持する従来の保持具５１を示す斜視図である。
【０００３】
図９に示す清掃用物品６０は、不織布などのシートにより開口部６１を有する袋体が形成されている。保持具５１は、挿入部５２と握り部５３とが一体化されたものであり、前記清掃用物品６０は、前記挿入部５２に装着される。この装着の際は挿入部５２を清掃用物品６０の開口部６１から内部に挿入する。
【０００４】
前記挿入部５２の基端側の上面には係止部５４が設けられている。この係止部５４はやや硬質のプラスチックシートに切り込み５５が形成され、切り込み５５の周囲に弾性片が形成されたものである。
【０００５】
清掃用物品６０に挿入部５２を挿入したときに、前記清掃用物品６０の開口部６１の周囲のシートを前記切り込み５５内に押し込むことで、清掃用物品６０を挿入部５２に留めることができるようにしている。
【０００６】
また、他の従来例として、保持具の装着部の上部に押え機構が設けられ、保持具に清掃用物品を装着した後に、清掃用物品の開口部の縁部などを前記押え機構で挟んで保持するものがある。
【０００７】
【発明が解決しようとする課題】
しかしながら、図９に示す従来の保持具５１では、挿入部５２を清掃用物品６０に挿入した後に、清掃用物品６０を形成するシートを切り込み５５の内部に押し込むという操作が必要であるが、この押し込み量が不十分であると、清掃用物品６０を保持具５１に確実に保持できなくなる。また挿入部５２に清掃用物品６０が装着されている状態で、清掃用物品６０の外面で床や家具表面などの拭取りを行っているときに、清掃時の抵抗力によって、挿入部５２と清掃用物品６０とが位置ずれしやすい。
【０００８】
これは前記押え機構が設けられた従来の保持具においても同じであり、清掃用物品を装着するときに、シートを押え機構に挟むという面倒な操作が必要であり、また清掃中に清掃用物品に位置ずれが生じやすい。
【０００９】
特に図９に示すように、挿入部５２の上面に係止部５４が設けられているものでは、清掃用物品６０の清掃に用いられる下面側を十分に保持できないために、清掃中に清掃用物品６０の位置ずれが生じやすい。
【００１０】
本発明は上記従来の課題を解決するためのものであり、清掃用物品を取付ける操作が容易であり、しかも清掃用物品を確実に保持でき、清掃作業中に清掃用物品の位置ずれも生じにくい清掃用物品の保持具を提供することを目的としている。
【００１１】
【課題を解決するための手段】
本発明は、下面に拭き取り面を有する拭取りシートと、前記拭取りシートの上面側に保持隙間を形成する保持材とが設けられた清掃用物品および該清掃用物品の保持具において、前記保持具の先部側には前記保持隙間に挿入される装着部が設けられるとともに、基部側には握り部が設けられ、前記清掃用物品には、前記拭取りシートを前記保持隙間の挿入口に対して前記装着部の前記保持隙間への挿入方向の手前側に突出させた突出部分が形成され、前記装着部の基部側には当該装着部の下面よりも上方に位置する段差面が形成され、前記段差面には、前記装着部を前記保持隙間に挿入して前記清掃用物品を清掃面に押し当てた状態で前記段差面と前記清掃面との間に介在することとなる前記突出部分に入り込んで掛止される複数の突起を含む掛止手段が、設けられ、前記段差面の前記装着部の下面に対する高さを、圧力が加えられていない状態での前記突出部分の嵩未満に設定したことを特徴とするものである。
【００１２】
この場合に、前記突起の前記挿入方向の先方側に向く前端面が、前記段差面に対して鈍角となる傾斜面であり、前記突起の前記挿入方向の手前側に向く後端面が、前記段差面に対して直角または鋭角の面であることが好ましい。
【００１４】
また、前記装着部には、前記保持隙間に挿入される挿入部が複数に分岐されて形成されており、前記段差面が前記挿入部の分岐部に対して前記基部側に配置されているものとして構成できる。
【００１５】
また、前記装着部の基部には、掛止手段が設けられた前記下面から離れて上方に延びる腕部が設けられ、前記腕部の上部に前記握り部が設けられているものが好ましい。
【００１６】
本発明では、保持具の装着部を、清掃用物品の保持隙間に挿入し、このとき保持具を清掃用物品に押し付けることで、前記掛止手段が清掃用物品の繊維シート部分に掛止される。したがって、清掃用物品を保持具の下面でしっかり保持できるようになる。また清掃作業中は、保持具が清掃用物品に押し付けられているため、保持具と清掃用物品とが位置ずれしにくい。
【００１７】
【発明の実施の形態】
図１は本発明の保持具と清掃用物品を示す斜視図、図２は保持具を示す側面図、図３は保持具を示す底面図、図４は保持具の使用状態を示す側面図である。
【００１８】
図１に示すように、本発明の保持具１０に清掃用物品２０が装着される。
前記保持具１０は、合成樹脂や木材などで装着部２と握り部４および装着部２と握り部４とを繋ぐ腕部７が一体に形成されている。ただし、例えば腕部７と握り部４が一体で、装着部２が別体であり、使用時に装着部２を腕部７に組み付ける構造であってもよい。
【００１９】
前記装着部２には、基部側で二股に分かれて先部側に延びる対を成す挿入部３，３が形成されている。図２および図３に示すように、前記装着部２の下面では、前記挿入部３，３の分岐部３ｂよりも基端側に段差面２ｂが形成されており、この段差面２ｂに掛止手段５が設けられている。前記段差面２ｂは、前記装着部２の前記挿入部３，３が形成されている部分の下面２ａよりもわずかな寸法だけ上方に位置している。
【００２０】
前記掛止手段５は、前記段差面２ｂから下方に突出する多数の突起６を有している。前記突起６は、前記装着部を樹脂などで成型する際に前記樹脂により一体に突出形成されるものであってもよいし、または樹脂シートから多数の突起６が突出形成されたいわゆる掛止ファスナーが前記段差面２ｂに接着されたものであってもよい。
【００２１】
図２に示すように、前記挿入部３，３の下面２ａから前記段差面２ｂまでの高さ（段差量）Ｈは、装着部２を清掃用物品２０の拭取りシート２１の上面に押し付けたときに拭取りシート２１の上面が、段差面２ｂに当たるようきわめて小さい寸法であり、前記高さＨは、圧力が加えられていない状態での清掃用物品２０の拭取りシート２１の嵩（厚さ）未満であることが好ましく、さらに前記高さＨは前記拭取りシート２１の嵩（厚さ）の１／２以下であることが好ましい。例えば前記高さＨは１〜４ｍｍ程度である。
【００２２】
そして、前記突起６は、その下端が前記挿入部３，３の下面２ａから下方へ突出しない範囲の長さであることが好ましい。ただし前記突起６が前記下面２ａよりも下方へ突出していてもよい。
【００２３】
さらに、前記掛止手段５として、樹脂シートから多数の突起６が突出形成されたいわゆる掛止ファスナーが用いられる場合には、前記高さＨは、前記樹脂シートの厚みよりも大きいことが好ましい。このように構成することで、前記樹脂シートが装着部２の下面２ａよりも下へ突出するのを防止できる。
【００２４】
図３に示すように、前記掛止手段５では、前記突起６が、装着部２の幅方向の両側において縦方向に列を成すように形成されている。ただし、前記突起６の数やその配列は適宜設定することできる。
【００２５】
図１に示すように、保持具１０では、装着部２の基部から腕部７が上方へ斜めに立ち上がるように延びており、この腕部７の上端に前記握り部４が連続して形成されている。前記握り部４は、装着部２の下面２ａから離れた高い位置にあり、また握り部４は前記装着部２とほぼ平行である。
【００２６】
前記保持部１０に装着される清掃用物品２０の一例は、図１に示すように、その下面のほぼ全体が拭き取り面とされた拭取りシート２１を有する。前記拭取りシート２１は、単一の不織布、または複数枚の不織布が重ねられたもの、または中層がフィルムで上下の層が不織布とされた複合シートなどで形成されている。拭取りシート２１の拭き取り面を形成する下面の層は、その表面に一部の繊維が現れて埃やゴミを捕集する効果を発揮できるものが好ましく、例えば熱可塑性の合成繊維で形成された、または熱可塑性の合成繊維とレーヨンなどの再生セルロース繊維を含む不織布であり、特にスパンレース不織布が好ましい。
【００２７】
また、前記拭取りシート２１を形成する不織布にエンボス加工が施されて、拭き取り面となる下面が凹凸形状とされているものも好ましく使用される。さらに、前記拭取りシート２１として、基材となる不織布の下面に多数の繊維や糸が植設されて拭き取り面が形成されているものであってもよいし、または前記基材の下面にトウ（ＴＯＷ）から開繊された長繊維層が積層されて、前記長繊維層と前記基材とが部分的に溶着されたもので、前記長繊維層が拭き取り面に現れて埃やゴミの捕集効果を発揮するものであってもよい。
【００２８】
前記拭取りシート２１の上面２１ａには保持材２３が取付けられている。前記保持材２３は、熱可塑性（熱融着性）の合成繊維で形成された、または前記熱可塑性の合成繊維を含む不織布、あるいは熱可塑性樹脂で形成された樹脂フィルムなどのシート材で形成されている。
【００２９】
前記保持材２３は、幅方向の中央領域において、縦方向に平行に延びる３本の接合線２４ａ，２４ａ，２４ａによって前記拭取りシート２１の上面２１ａに接合されており、また保持材２３の両縁部は、前記拭取りシート２１の両縁部に接合線２４ｂ，２４ｂによって接合されている。拭取りシート２１と前記保持材２３が熱融着性である場合には、前記接合線２４ａ，２４ｂは、熱融着線である。ただし前記接合線２４ａ，２４ｂにおいて、拭取りシート２１と保持材２３とが、縫合されまたは接着されていてもよい。
【００３０】
そして、前記３本の接合線２４ａで挟まれた領域では、前記拭取りシート２１の上面２１ａと前記保持材２３との間に、保持隙間２３ａ，２３ａが形成されている。この保持隙間２３ａ，２３ａは互いに平行で且つ縦方向に延びている。
【００３１】
ただし、前記保持材２３は、所定幅の複数の横方向に延びる帯状シートで形成され、この帯状シートが縦方向に間隔を開けて取付けられて、前記保持隙間２３ａ，２３ａが形成されてもよい。
【００３２】
図１に示す実施の形態では、前記保持隙間２３ａ，２３ａが形成されている範囲の縦方向の長さ寸法Ｌ１が、拭取りシート２１の縦方向の長さ寸法Ｌ０よりも短く形成されている。その結果、拭取りシート２１の基部側すなわち前記保持具１０の掛止手段５が対面する部分では、拭取りシート２１が、前記保持隙間２３ａ，２３ａよりも長さＬ２だけ突出しており、前記長さＬ２の範囲では、拭取りシート２１の上面２１ａを形成している不織布（繊維シート）が現れている。なお前記長さＬ２の領域に、さらに嵩の大きいエアースルー不織布や、スパンレース不織布、繊維ウエッブなどが部分的に積層されていてもよい。
【００３３】
また拭取りシート２１の縦方向の先端側でも、長さＬ３の範囲で、前記保持隙間２３ａ，２３ａよりも拭取りシート２１が突出しており、この長さＬ３の範囲においても拭取りシート２１の上面２１ａを形成している不織布などの繊維シートが現れている。したがって、この清掃用物品２０は前後どちらの方向からでも前記保持具１０に装着できるようになっている。
【００３４】
図１と図２に示すように、清掃を行なうときには、前記挿入部３，３を前記保持隙間２３ａ，２３ａに挿入する。挿入部３，３を保持隙間２３ａ，２３ａに挿入すると、保持具１０の装着部２の下面の基部側に設けられた掛止手段５が、清掃用物品２０の前記長さＬ２の部分で拭取りシート２１の上面２１ａに対面する。
【００３５】
この状態で、握り部４を手で下へ押し、装着部２で清掃用物品２０を、床面などの清掃面３０に押し付ける。このとき装着部２の挿入部３，３が形成されている部分の下面２ａによって拭取りシート２１が清掃面３０に押し付けられて拭取りシート２１が厚み方向へ圧縮される。
【００３６】
ただし、装着部２の基端部側では、段差面２ｂが設けられているため、前記段差面２ｂと対面する部分では、拭取りシート２１の厚み方向の圧縮量が小さく、長さＬ２の領域の拭取りシート２１は嵩が完全に潰されない状態で、前記掛止手段５の突起６と当たることになる。前記長さＬ２の領域では拭取りシート２１が完全に押し潰されない状態で前記突起６に当たるため、前記突起６が拭取りシート２１の上面２１ａを形成している不織布などの繊維シートの繊維間に入り込みやすく、よって掛止手段５により清掃用物品２０を確実に保持することができる。
【００３７】
握り部４を保持したまま、清掃面３０に沿って清掃用物品２０を摺動させると、拭取りシート２１の下面の拭き取り面により前記清掃面３０上の埃やゴミが捕捉される。ただし、この清掃作業中は手で保持している握り部４が清掃面３０の方向へ押され続けるため、前記掛止手段５は拭取りシート２１の上面２１ａに常に押し付けられることになる。したがって、清掃中も清掃用物品２０が掛止手段５でしっかり保持され続けることになり、装着部２と清掃用物品２０とが位置ずれしにくい。特に、握り部４を図４の右方向へ引くときに、前記掛止手段５の働きで、挿入部３，３が保持隙間２３ａ，２３ａから飛び出すことがなく、保持具１０の各方向への動きに清掃用物品２０が確実に追従できるようになる。
【００３８】
また装着部２の前記段差面２ｂの部分では、突起６が挿入部３，３の下面２ａよりも下に突出していないため、突起６によって、拭取りシート２１の基部が清掃面３０に過剰に押し付けられることがなく、拭取りシート２１は主に挿入部３，３の下面２ａによって清掃面３０に押し付けられるようになる。よって、挿入部３，３によって拭取りシート２１を清掃面３０に確実に押し付けることができ、拭取りシート２１の下面の広い面積を清掃のために効果的に機能させることができる。
【００３９】
図１以下に示す実施の形態では、装着部２の基部から腕部７が上方に延び、この腕部７に握り部４が連続しているため、清掃面３０から十分に離れた位置で握り部４を手で保持することができ、握り部４を保持しやすい。また握り部４を握った状態で清掃用物品２０を清掃面３０の方向へ押し付けやすい。
【００４０】
また、清掃用物品２０を廃棄しまたは交換するときには、拭取りシート２１の前記長さＬ２の部分を装着部２から下方へ折り曲げるようにして剥がすことで、拭取りシート２１の上面２１ａと掛止手段５との掛止状態を簡単に解除することができる。
【００４１】
図５は、本発明の保持具の変形例を示す斜視図である。図５に示す保持具３１は板状の装着部３２と握り部３３とを有している。前記装着部３２は分岐されておらず、その先部が１本の挿入部となっている。
【００４２】
清掃用物品４０は、下面に拭取り面を有する拭取りシート４１を有し、この拭取りシート４１の上面にシート状の保持材４２の幅方向の中央部分が２本の接合線４３ａ，４３ａにより前記拭取りシート４１に接合され、また保持材４２の両縁部が接合線４３ｂ，４３ｂによって拭取りシート４１の縁部に接合されている。そして前記接合線４３ａと接合線４３ａとの間で、拭取りシート４１と保持材４２との間に１つの保持隙間４２ａが形成されている。ただし、保持隙間４２ａの先部４２ｂが閉じられて保持隙間４２ａが袋状となっている。
【００４３】
そして、前記保持隙間４２ａよりも手前側に拭取りシート４１の上面４１ａが突出しており、保持具３１の装着部３２が前記保持隙間４２ａに挿入されたときに、装着部３２の下面３２ａの基部に形成された段差面３２ｂ、およびこの段差面３２ｂに設けられた掛止手段３５が前記拭取りシート４１の上面４１ａに対面する。
【００４４】
図６に示す実施の形態では、図１に示した保持具１０または図５に示した保持具３１と同じ形状の保持具において、段差面２ｂ（３２ｂ）に掛止手段４５が設けられている。この掛止手段４５には多数の突起４６が設けられている。この突起４６は装着部と一体に形成されたもの、または基材シートから多数の突起４６が突出したいわゆる掛止ファスナーを装着部２（３２）に接着したものである。
【００４５】
前記突起４６の下端は鉤状に変形させられており、この鉤状部分が清掃用物品の繊維シート部分にしっかり掛止される構造となっている。また図６に示すものでは全ての突起４６の下端の鉤状部分が後方（握り部４が設けられている方向）へ向くように変形させられている。したがって、保持具を握り部が向けられている後方へ引張ったときに、前記突起４６が清掃用物品に確実に掛止されて、装着部２（３２）が清掃用物品の保持隙間から抜け出にくくなる。
【００４６】
すなわち、前記掛止手段の突起の先部に鉤状部分を形成する場合、全ての突起の鉤状部分または少なくとも一部の突起の鉤状部分が後方へ向けられていることが好ましい。
【００４７】
図７ないし図８は前記突起の形状のさらに好ましい例を示している。
図７（Ａ）および図８（Ａ）（Ｂ）は突起５６の側面図であり、図７（Ｂ）（Ｃ）（Ｄ）は、前記突起５６のＢ−Ｂ線の断面図である。
【００４８】
前記突起５６の好ましい形状としては、装着部２の挿入部３を、清掃用物品２０の保持隙間２３ａ，２３ａに挿入しやすく、また挿入後に、挿入部３で清掃用物品２０を床面などに押し付けて拭取り作業を行なうときに、前記保持隙間２３ａ，２３ａから挿入部３が容易に抜き出ないことが好ましい。また清掃用物品２０に対する押し付けの力を除去したときには、前記保持隙間２３ａ，２３ａから挿入部３が容易に抜き出されて離脱できるものが好ましい。
【００４９】
まず、保持隙間２３ａ，２３ａに挿入しやすくするために、突起５６の挿入方向の前方に向く前端面５６ａと装着部２の下面との成す角度αが鈍角となるようにして、前記前端面５６ａを傾斜面とすることが好ましく、また拭取り作業中に保持隙間２３ａ，２３ａから挿入部３が離脱しにくいためには、前記突起５６の後端面５６ｂと装着部２の下面との成す角度βが直角または鋭角であることが好ましい。ただし、挿入部３を保持隙間２３ａ，２３ａから離脱させやすいためには前記角度βが直角であることが好ましい。
【００５０】
また、挿入部３を保持隙間２３ａ，２３ａから抜き出しやすくするためには、図７（Ｃ）（Ｄ）の断面図に示すように、突起５６の幅方向の両側面５６ｃ，５６ｃが、下方へ向うにしたがって互いに接近する傾斜面であることが好ましく、さらには、図７（Ｃ）に示す両側面５６ｃの下端の角部５６ｄ，５６ｄ、図７（Ｄ）に示す側面５６ｃ，５６ｃの下端の角部５６ｅが共にＲ形状のような面取りを有することが好ましい。
【００５１】
また図７(Ａ)に示すものにおいても、突起５６の両側面の下端の角部５６ｆ，５６ｆにＲ形状などの面取りを施すことにより、挿入部３を保持隙間２３ａ，２３ａから抜き出しやすくなる。
【００５２】
また、前記図７および図８に示す形状の突起５６を設ける場合には、必ずしも図２および図３に示すように、装着部２の基端下面に前記突起５６を設けたものに限られず、装着部２の下面の先端側と基端側の双方に前記突起５６を設けたり、または先端側と基端側および中間部に前記突起５６を設けたものであってもよい。
【００５３】
なお、前記保持具の装着部下面に段差面を設けることなく、挿入部の下面と同一面上に掛止手段の突起を設けてもよい。
【００５４】
【発明の効果】
以上説明した本発明の保持具は、清掃用物品を確実に保持でき、また清掃作業中に保持具と清掃用物品との間で位置ずれが生じにくい。
【図面の簡単な説明】
【図１】本発明の保持具と清掃用物品を示す斜視図、
【図２】図１の保持具を示す側面図、
【図３】図１の保持具を示す底面図、
【図４】図１に示す保持具に清掃用物品を装着した使用状態を示す側面図、
【図５】本発明の他の実施の形態の保持具と清掃用物品を示す斜視図、
【図６】さらに他の実施の形態の保持具を示す側面図、
【図７】（Ａ）は掛止手段の突起の好ましい形状を示す側面図、（Ｂ）（Ｃ）（Ｄ）は、（Ａ）のＢ−Ｂ線の断面図、
【図８】（Ａ）（Ｂ）は、前記突起のさらに他の好ましい形状を示す側面図、
【図９】従来の保持具を示す斜視図、
【符号の説明】
２  装着部
２ａ  下面
２ｂ  段差部
３  挿入部
３ｂ  分岐部
４  握り部
５  掛止手段
６  突起
７  腕部
１０  保持具
２０  清掃用物品
２１  拭取りシート
２１ａ  上面
２３  保持材
２３ａ  保持隙間
３１  保持具
３２  装着部
３３  握り部
３２ｂ  段差面
３５  掛止手段
４５  掛止手段
５６  突起
５６ａ  前端面
５６ｂ  後端面
５６ｃ  側面
【図１】
0004242552.tif 000002
【図２】
0004242552.tif 000003
【図３】
0004242552.tif 000004
【図４】
0004242552.tif 000005
【図５】
0004242552.tif 000006
【図６】
0004242552.tif 000007
【図７】
0004242552.tif 000008
【図８】
0004242552.tif 000009
【図９】
0004242552.tif 000010